(57)【要約】【課題】本発明は、柔軟構造の隔壁の変位を吸収することにより、取付部材を当該隔壁の変位に追従させつつ、取付部材および計測装備本体の亀裂および破壊を避けることができる計測装備を提供する。【解決手段】柔軟構造の横置隔壁および中央隔壁を有する液体輸送船の貨物倉内の液面および温度を測る計測装備が、ガイド用鋼管と該ガイド用鋼管に平行な該山形鋼の補助柱とから構成され、該補助柱を横置隔壁に支持させる複数個の支持金物を側面および／または平面から見て中間部の少なくとも１箇所が略直角に曲折している構成とした。【選択図】図１
2008151695.tif 000002
【特許請求の範囲】
【請求項１】
底板、上甲板、コルゲート構造の横置隔壁および中央隔壁、ならびに舷側の船側隔壁に囲繞される液体輸送船の貨物倉内の液体貨物の液面および温度を測る計測装備において、
前記計測装備は液面計を構成するリードスイッチと温度計を構成する温度センサーが内蔵される細径のガイド用鋼管と、該ガイド用鋼管の周囲を昇降しながら該リードスイッチをＯＮ／ＯＦＦする平面が馬蹄形をしたフロートと、該ガイド用鋼管に並設される山形鋼の補助柱とからなり、
前記補助柱は一方の辺の刃の向きを前記ガイド用鋼管に向けて所定個所で連結平板を介して連結されて該ガイド用鋼管とともに前記上甲板に設置されるハッチのフランジ裏面から前記底板近傍まで吊設され、
前記補助柱は所定間隔で設置される支持金具を介して前記横置隔壁または前記中央隔壁に支持され、
前記支持金具は側面および／または平面から見て中間部の少なくとも１箇所が略直角に曲折している、ことを特徴とする液体貨物運搬船の倉内計測装備。
【請求項２】
前記補助柱は山形鋼の他方の辺を前記横置隔壁または前記中央隔壁に平行にして吊設され、
前記支持金具は帯状の平鋼であって前記補助柱から突設されるガイドステーと前記横置隔壁または前記中央隔壁から突設されるスタンドからなり、該ガイドステーはその幅方向を垂直にして該横置隔壁または該中央隔壁方向に向けて突設され、該スタンドはその幅方向を水平にして前記ガイド用鋼管方向に向けて突設されてその先端が略直角に曲折し、該ガイドステーの先端部と該スタンドの先端部とが連結される、ことを特徴とする請求項１に記載の液体貨物運搬船の倉内計測装備。
【請求項３】
前記補助柱は山形鋼の他方の辺を前記横置隔壁または前記中央隔壁に平行にして吊設され、
前記支持金具は帯状の平鋼であって前記補助柱から突設されるガイドステーと前記横置隔壁または前記中央隔壁から突設されるスタンドからなり、該ガイドステーはその幅方向を水平にして該横置隔壁または該中央隔壁方向に向けて突設されてその先端が略直角に曲折し、該スタンドはその幅方向を垂直にして前記ガイド用鋼管方向に向けて突設されて、該ガイドステーの先端部と該スタンドの先端部とが連結される、ことを特徴とする請求項１に記載の液体貨物運搬船の倉内計測装備。
【請求項４】
前記補助柱は山形鋼の他方の辺を前記横置隔壁または前記中央隔壁に平行にして吊設され、
前記支持金具は丸棒鋼または細径の鋼管であって側面および／または平面から見て２箇所が略直角に曲折したクランク状を呈し前記補助柱と前記横置隔壁または前記中央隔壁とを連結している、ことを特徴とする請求項１に記載の液体貨物運搬船の倉内計測装備。
【請求項５】
前記補助柱は山形鋼の一方の辺を前記横置隔壁または前記中央隔壁に平行にして吊設され、
前記支持金具は帯状の平鋼であって前記補助柱から突設されるガイドステーと前記横置隔壁または前記中央隔壁から突設されるスタンドからなり、該ガイドステーはその幅方向を垂直にして前記補助柱から前記横置隔壁または前記中央隔壁に平行に突設されてその先端が略直角に曲折して該横置隔壁または該中央隔壁方向に向けられ、該スタンドはその幅方向を垂直にして該ガイドステーの先端方向に突設されて、該ガイドステーの先端部と該スタンドの先端部とが連結される、ことを特徴とする請求項１に記載の液体貨物運搬船の倉内計測装備。
【発明の詳細な説明】
【技術分野】
【０００１】
本発明は、液体輸送船の貨物倉の倉内に装備される液体貨物の液面および温度を測る計測装備に関するものである。
【背景技術】
【０００２】
近年のタンカーまたはケミカルタンカーのような液体貨物の輸送船（以下、「液体貨物運搬船」という。）は、多種の液体貨物が積載できるように装備されており、貨物の積替えに際し、タンクの洗浄が必要であり、洗浄に手間と時間を要しないように、コルゲート構造の隔壁を有する貨物倉が要求されている。
【０００３】
ここで、従来の液体貨物運搬船の貨物倉の平面図である図６を基に、上記の貨物倉について説明する。
図６に示すように、貨物倉１０は、底板１１（図４参照）を床面とし上甲板１３（図４参照）を天井面として、船首側および船尾側の横置隔壁１５、１５と中央隔壁１７と舷側の船側隔壁１９とに囲繞され、横置隔壁１５、１５および中央隔壁１７の３つの面は、弾性限度内で変位する柔軟構造であるコルゲート構造が採用されている。また、船側隔壁１９は、舷側にスティフナー（骨）を有するスティフナー構造となっている。同様に、上甲板（アッパーデッキ）１３は、上甲板１３上に骨（ガーダおよびロンジ）が配設され、また、底板１１（タンクトップ）の床下には、骨（ガーダおよびロンジ）が配設され、貨物倉１０内は、コルゲート構造の隔壁の凹凸はあるものの、滑らかな壁面を有している。ところが、貨物倉１０内に液体貨物を積載すると、横置隔壁１５、１５および中央隔壁１７のコルゲート構造の隔壁は、柔軟構造であるため、図６の点線で示すように数十ｍｍの範囲で変位することが知られている。
【０００４】
ところで、一般的なタンク内の液体の液面を測る液面測定具としては、フロート式液面計が知られていて、たとえば特開２００３−２１４９２８号公報に開示された「液面計」がある。このフロート式液面計は、「上下にのびたステムに対する非磁性材からなるフロートの上下動にともなう磁石の位置変動に応じてリードスイッチがその接点を開閉する」ことにより、液面を計るものである。
【０００５】
しかしながら、液体貨物運搬船の貨物倉内の液体貨物は、航行中、常に揺動し、かつ、貨物倉の深さが一般のタンクよりも深いため、このフロート式液面計をそのまま使用すると、上下にのびたステムが破損してしまう。そのため、本願出願人は液体貨物運搬船の貨物倉内の液面を測る計測装備を開発し実用化している。
この計測装備について、図４および図５を基に概説する。なお、図４は、本願出願人の発明に係る従来の計測装備の側面全体図であり、図５は、本願出願人の発明に係る従来の計測装備の詳細図である。
【０００６】
本願出願人の発明に係る従来の計測装備（以下、「従来の計測装備」という。）は、主に、ガイド用鋼管４１、補助柱４３およびフロート４５から構成されている。
ガイド用鋼管４１は外径が３４ｍｍ程度の細径のステンレス鋼管であり、貨物倉の深さが１６ｍ〜１８ｍとなるような深い場合は、上甲板１３に設置されるハッチ２３のフランジ裏面から底板１１近傍まで吊設されている。そして、ガイド用鋼管４１内には液面を計測するためのリードスイッチが略２０ｍｍ間隔で配列されるとともに、ガイド用鋼管４１内の上部、下部および中間部に液体貨物の温度を計測するためのセンサーであるサーミスタが配置されている。
【０００７】
フロート４５はドーナツの一部が欠けた馬蹄形を呈する浮力体であり、フロート４５の内部には、一対の磁石（図示外）が内蔵されていて、液面の変化に伴ってガイド用鋼管４１の周囲を上下に摺動するようになっている。そして、フロート４５がガイド用鋼管４１の周囲を上下に摺動することによって、ガイド用鋼管４１内に略２０ｍｍ間隔で配列されたリードスイッチをフロート４５が内蔵している一対の磁石でＯＮにし、ＯＮとなったリードスイッチの個数によって液面が測定できるようになっている。また、ガイド用鋼管４１内のサーミスタにより、その液面における温度を計測できるようになっている。
【０００８】
ところで、貨物倉の深さが１２ｍを超えると、外径が３４ｍｍ程度の細径のステンレス鋼管のガイド用鋼管４１のみでは強度的に不足する。このため、ガイド用鋼管４１の強度不足を等辺山形鋼の補助柱４３で補強することとしている。この補助柱４３もまたガイド用鋼管４１と同様に、上甲板１３のハッチ２３の蓋（フランジ）裏面から吊設され、上部、中間部および下部の３箇所が平板で連結されている。
【０００９】
深さ方向に５、６箇所設けられている支持金具６０は、ガイドステー６１、スタンド６３およびパッド６５で構成されていて、ガイドステー６１は、断面がＬ字形であって一方の面が補助柱４３の等辺山形鋼の面に固着され、他方の面には垂直方向に長い長穴のボルト貫通孔が穿設されている。一方、スタンド６３は、その基端部がパッド６５を介して横置隔壁１５または中央隔壁１７から突設され、その先端部には水平方向に長い長穴のボルト貫通孔が穿設されている。そして、ガイドステー６１のボルト貫通孔とスタンド６３のボルト貫通孔とが螺着されている。
【特許文献１】特開２００３−２１４９２８号公報
【発明の開示】
【発明が解決しようとする課題】
【００１０】
しかしながら、従来の計測装備を柔軟構造であるコルゲート構造の横置隔壁１５または中央隔壁１７に装備しようとした場合、図４の２点鎖線に示すような横置隔壁１５または中央隔壁１７の変位に追随できず、取付部材である支持金具６０およびガイド用鋼管４１に亀裂および破壊が起きるなどの問題を有している。
【００１１】
そこで、本発明は、柔軟構造の隔壁の変位を吸収することにより、取付部材を当該隔壁の変位に追従させつつ、取付部材および計測装備本体の亀裂および破壊を避けることができる計測装備を提供し、以って、荷役および安全性の向上を図ることを目的とする。
【課題を解決するための手段】
【００１２】
上記目的を達成するため、本願請求項１に係る液体貨物運搬船の倉内計測装備は、底板、上甲板、コルゲート構造の横置隔壁および中央隔壁、ならびに舷側の船側隔壁に囲繞される液体輸送船の貨物倉内の液体貨物の液面および温度を測る計測装備において、前記計測装備は液面計を構成するリードスイッチと温度計を構成する温度センサーが内蔵される細径のガイド用鋼管と、該ガイド用鋼管の周囲を昇降しながら該リードスイッチをＯＮ／ＯＦＦする平面が馬蹄形をしたフロートと、該ガイド用鋼管に並設される山形鋼の補助柱とからなり、前記補助柱は一方の辺の刃の向きを前記ガイド用鋼管に向けて所定個所で連結平板を介して連結されて該ガイド用鋼管とともに前記上甲板に設置されるハッチのフランジ裏面から前記底板近傍まで吊設され、前記補助柱は所定間隔で設置される支持金具を介して前記横置隔壁または前記中央隔壁に支持され、前記支持金具は側面および／または平面から見て中間部の少なくとも１箇所が略直角に曲折している、ことを特徴している。
なお、山形鋼には等辺山形鋼および不等辺山形鋼が含まれ、また、山形鋼の刃の向きとは、Ｌ字形断面の直角を挟むそれぞれの辺を直角部を起点にして延伸した方向をいう。
また、本願請求項２に係る液体貨物運搬船の倉内計測装備は、請求項１に記載の液体貨物運搬船の倉内計測装備であって、前記補助柱は山形鋼の他方の辺を前記横置隔壁または前記中央隔壁に平行にして吊設され、前記支持金具は帯状の平鋼であって前記補助柱から突設されるガイドステーと前記横置隔壁または前記中央隔壁から突設されるスタンドからなり、該ガイドステーはその幅方向を垂直にして該横置隔壁または該中央隔壁方向に向けて突設され、該スタンドはその幅方向を水平にして前記ガイド用鋼管方向に向けて突設されてその先端が略直角に曲折し、該ガイドステーの先端部と該スタンドの先端部とが連結される、ことを特徴としている。
そして、本願請求項３に係る液体貨物運搬船の倉内計測装備は、請求項１に記載の液体貨物運搬船の倉内計測装備であって、前記補助柱は山形鋼の他方の辺を前記横置隔壁または前記中央隔壁に平行にして吊設され、前記支持金具は帯状の平鋼であって前記補助柱から突設されるガイドステーと前記横置隔壁または前記中央隔壁から突設されるスタンドからなり、該ガイドステーはその幅方向を水平にして該横置隔壁または該中央隔壁方向に向けて突設されてその先端が略直角に曲折し、該スタンドはその幅方向を垂直にして前記ガイド用鋼管方向に向けて突設されて、該ガイドステーの先端部と該スタンドの先端部とが連結される、ことを特徴としている。
さらに、本願請求項４に係る液体貨物運搬船の倉内計測装備は、請求項１に記載の液体貨物運搬船の倉内計測装備であって、前記補助柱は山形鋼の他方の辺を前記横置隔壁または前記中央隔壁に平行にして吊設され、前記支持金具は丸棒鋼または細径の鋼管であって側面および／または平面から見て２箇所が略直角に曲折したクランク状を呈し前記補助柱と前記横置隔壁または前記中央隔壁とを連結している、ことを特徴としている。
また、本願請求項５に係る液体貨物運搬船の倉内計測装備は、請求項１に記載の液体貨物運搬船の倉内計測装備であって、前記補助柱は山形鋼の一方の辺を前記横置隔壁または前記中央隔壁に平行にして吊設され、前記支持金具は帯状の平鋼であって前記補助柱から突設されるガイドステーと前記横置隔壁または前記中央隔壁から突設されるスタンドからなり、該ガイドステーはその幅方向を垂直にして前記補助柱から前記横置隔壁または前記中央隔壁に平行に突設されてその先端が略直角に曲折して該横置隔壁または該中央隔壁方向に向けられ、該スタンドはその幅方向を垂直にして該ガイドステーの先端方向に突設されて、該ガイドステーの先端部と該スタンドの先端部とが連結される、ことを特徴としている。
【発明の効果】
【００１３】
本願発明は上記の構成により、以下の効果を奏する。
（１）側面および／または平面から見て、支持金具の中間部の少なくとも１箇所が略直角に曲折しているため、この曲折部でコルゲート構造の横置隔壁および中央隔壁の変位を吸収することができ、取付部材である支持金具や計測装備本体の亀裂および破壊を避けることができる。
（２）また、支持金具を帯状の平鋼で構成した場合には、ガイドステーおよびスタンドが曲折部を有するとともに、それぞれの幅方向が相互に直交するように構成されているので、垂直方向にも水平方向にも撓みやすくなっている。このため、曲折部でコルゲート構造の横置隔壁および中央隔壁の変位を吸収することができるばかりでなく、吸収しきれない横置隔壁および中央隔壁の変位が生じても支持金具の撓みで吸収することができる。
（３）そして、支持金具を丸棒鋼または細径の鋼管で構成した場合には、側面および／または平面から見て２箇所が略直角に曲折したクランク状を呈しているので、２箇所の曲折部および丸棒鋼または細径の鋼管の撓みでコルゲート構造の横置隔壁および中央隔壁の変位を吸収することができる。
【発明を実施するための最良の形態】
【００１４】
以下、本願発明を実施するための最良の形態に係る実施例１ないし実施例３について、図１ないし図３に基づいて説明する。なお、図１は、実施例１に係る倉内計測装備の詳細図、図１（ａ）は斜視図、図１（ｂ）は平面図であり、図２は、実施例２に係る倉内計測装備の詳細図、図２（ａ）は斜視図、図２（ｂ）は平面図であり、図３は、実施例３に係る倉内計測装備の詳細図、図３（ａ）は斜視図、図３（ｂ）は平面図である。
【００１５】
図１ないし図３において、符号１０は貨物倉、符号１１は底板、符号１３は上甲板、符号１５は横置隔壁、符号１７は中央隔壁、符号１９は船側隔壁、符号２１はハッチ、符号３１は実施例１に係る倉内計測装備、符号３２は実施例２に係る倉内計測装備、符号３３は実施例３に係る倉内計測装備、符号４１はガイド用鋼管、符号４３は補助柱、符号４５はフロート、符号４７は連結平板、符号５１は実施例１に係る支持金具、符号５２は実施例２に係る支持金具、符号５３は実施例３に係る支持金具、符号６１はガイドステー、符号６３はスタンド、符号６５はパッド、である。
なお、従来例について図５ないし図６で説明した要素と同一の要素については、図１ないし図３においても同一の符号を付し、その説明を省略することとする。
【実施例１】
【００１６】
まず、実施例１に係る倉内計測装備について、図１を基に説明する。
この実施例１に係る倉内計測装備３１は、ガイド用鋼管４１、補助柱４３、フロート４５、複数の連結平板４７、４７、・・・および複数の支持金具５１、５１、・・・から構成されている。
【００１７】
ガイド用鋼管４１は、外径が３４ｍｍ程度の細径のステンレス鋼管であり、上甲板１３に設置されるハッチ２３のフランジ裏面に枢着されて底板１１近傍まで吊設されている。ガイド用鋼管４１内には液面を計測するためのリードスイッチが略２０ｍｍ間隔で配列されるとともに、ガイド用鋼管４１内の上部、下部および中間部に液体貨物の温度を計測するためのセンサーであるサーミスタが配置されている。
【００１８】
５０ｍｍ×５０ｍｍ×６ｍｍのステンレス製の等辺山形鋼からなる補助柱４３もガイド用鋼管４１に並行してハッチ２１のフランジ裏面に枢着されて底板１１近傍まで吊設されている。そして、並行する補助柱４３の等辺山形鋼の一方の辺の刃とガイド用鋼管４１の上部、中間部および下部の３箇所が連結平板４７で連結されてガイド用鋼管４１を補強している。さらに、補助柱４３は、略等間隔に位置する５個の支持金具５１を介して等辺山形鋼の他方の辺を横置隔壁１５に平行になるようにして横置隔壁１５に支持されている。
【００１９】
フロート４５は平面がドーナツの一部が欠けた馬蹄形を呈するステンレス製の浮力体であり、フロート４５の内部には、一対の磁石（図示外）が内蔵されており、フロート４５の中心部がガイド用鋼管４１に嵌合し、液面の変化に伴ってガイド用鋼管４１の周囲を上下に摺動するようになっている。そして、フロート６５がガイド用鋼管４１の周囲を昇降することによって、ガイド用鋼管４１内に略２０ｍｍ間隔で配列されたリードスイッチを一対の磁石でＯＮにし、ＯＮとなったリードスイッチの点数によって液面が測定できるようになっていて、液面計の表示盤（図示外）に表示される。このとき、補助柱４３の一方の辺の刃がガイド用鋼管４１に向けられていて、この補助柱４３の一方の辺がガイドとして上下に摺動する際のフロート４５の回動を防止している。
また、液体貨物の温度はガイド用鋼管４１内に配置されたサーミスタにより計測され、温度計の表示盤（図示外）に表示される。
【００２０】
支持金具５１は、ガイドステー６１およびスタンド６３から構成されていて、ガイドステー６１およびスタンド６３はともに帯状の平鋼である。
ガイドステー６１は、平鋼の幅方向を垂直にしてその基端部を直角に折り曲げ、先端部に矩形の平板が固着され、折り曲げられた基端部の面と補助柱４３の他方の辺とを重ねて固着し、補助柱４３から横置隔壁１５に向けて突設されている。
一方、スタンド６３は、平鋼の幅方向を水平にしてその基端部を矩形のパッド６５を介して横置隔壁１５から突設され、その先端部は直角に垂直方向に折り曲げられて、折り曲げられた面とガイドステー６１の先端部の矩形の平板の面とを螺着させて、ガイドステー６１およびスタンド６３は連結されている。
【００２１】
上述の構成により、横置隔壁１５の船首−船尾方向の変位は、スタンド６３の垂直部分の撓みおよびスタンド６３の曲折部の変位により吸収され、横置隔壁１５の上下方向の変位は、スタンド６３の水平部分の撓みおよびスタンド６３の曲折部の変位により吸収され、さらに、横置隔壁１５の右舷−左舷方向の変位は、ガイドステー６１の撓みにより吸収される。したがって、横置隔壁１５のあらゆる方向の変位は、すべて支持金具５１により吸収されて、計測装備３１にはその影響が及ぶことがなく、計測装備３１の亀裂および破壊を防止できる。
【００２２】
なお、支持金具５１のガイドステー６１を、平鋼の幅方向を水平にしてその基端部を補助柱４３に固着して横置隔壁１５に向けて突設して、その先端部を直角に垂直方向に折り曲げ、スタンド６３を、平鋼の幅方向を垂直にしてその基端部を矩形のパッド６５を介して横置隔壁１５から突設させてその先端部に矩形の平板を固着し、ガイドステー６１の折り曲げられた面とスタンド６３の先端部の面とを螺着させて、ガイドステー６１およびスタンド６３を連結させても、同様の効果を得ることができる。
【実施例２】
【００２３】
つぎに、実施例２に係る倉内計測装備について、図２を基に説明する。
この実施例２に係る倉内計測装備３２の主体となるガイド用鋼管４１、補助柱４３、およびフロート４５は、倉内計測装備３１と同様であるので、その説明を省略する。
【００２４】
倉内計測装備３２における補助柱４３は、その等辺山形鋼の一方の辺の刃をガイド用鋼管４１に向けて３箇所の連結平板４７で連結され、さらに、略等間隔に位置する５個の支持金具５２を介して等辺山形鋼の他方の辺を横置隔壁１５に平行になるようにして横置隔壁１５に支持されている。
【００２５】
支持金具５２は、丸棒鋼を側面から見て２箇所で略直角に曲折したクランク状を呈している。そして、支持金具５２の補助柱４３側先端部には、矩形のパッドが溶着されて、このパッドを介して補助柱４３の等辺山形鋼の他方の辺に固着され、支持金具５２の横置隔壁１５側先端部はパッド６５を介して横置隔壁に固着されている。
【００２６】
上述の構成により、横置隔壁１５の船首−船尾方向の変位は、支持金具５２の垂直部分の撓みおよび支持金具５２の曲折部の変位により吸収され、横置隔壁１５の上下方向の変位は、支持金具５２の水平部分の撓みおよび支持金具５２の曲折部の変位により吸収され、さらに、横置隔壁１５の右舷−左舷方向の変位は、支持金具５２の水平部分の撓みおよび垂直部分のねじれにより吸収される。したがって、横置隔壁１５のあらゆる方向の変位は、すべて支持金具５２により吸収されて、計測装備３２にはその影響が及ぶことがなく、計測装備３２の亀裂および破壊を防止できる。
なお、支持金具５２の丸棒鋼を平面から見て２箇所で略直角に曲折したクランク状としても同様の効果を得ることができ、さらには、丸棒鋼に代えて細径の鋼管としても良い。
【実施例３】
【００２７】
つぎに、実施例３に係る倉内計測装備について、図３を基に説明する。
この実施例３に係る倉内計測装備３３の主体となるガイド用鋼管４１、補助柱４３、およびフロート４５は、倉内計測装備３１と同様であるので、その説明を省略する。
【００２８】
倉内計測装備３２における補助柱４３は、その等辺山形鋼の一方の辺の刃をガイド用鋼管４１に向けて３箇所の連結平板４７で連結され、さらに、略等間隔に位置する５個の支持金具３３を介して等辺山形鋼の当該一方の辺を横置隔壁１５に平行になるように、かつ、他方の辺の刃を横置隔壁１５に向け、支持金具３３を介して横置隔壁１５に支持されている。
【００２９】
支持金具３３は、ガイドステー６１およびスタンド６３から構成されていて、ガイドステー６１およびスタンド６３はともに帯状の平鋼である。
ガイドステー６１は、平鋼の幅方向を垂直にしてＬ字形に折り曲げて、一方の面を補助柱４３の他方の面に固着され、Ｌ字形の他方の面にさらにＬ字形に折り曲げた平鋼をその先端を横置隔壁１５に向けて突設されている。
一方、スタンド６３は、平鋼の幅方向をガイドステー６１と同様に垂直にして基端部を矩形のパッド６５を介して横置隔壁１５に固着されて突設され、その先端部はガイドステー６１の先端部に面と面とを螺着されて、ガイドステー６１およびスタンド６３は連結されている。
【００３０】
上述の構成により、最大の変位である横置隔壁１５の船首−船尾方向の変位は、スタンド６３の撓みおよびスタンド６３の曲折部の変位により吸収され、横置隔壁１５の右舷−左舷方向の変位は、ガイドステー６１の撓みにより吸収される。したがって、横置隔壁１５の変位は、すべて支持金具５３により吸収されて、計測装備３３にはその影響が及ぶことがなく、計測装備３３の亀裂および破壊を防止できる。
【図面の簡単な説明】
【００３１】
【図１】図１は、実施例１に係る倉内計測装備の詳細図であり、図１（ａ）は斜視図、図１（ｂ）は平面図である。
【図２】図２は、実施例２に係る倉内計測装備の詳細図であり、図２（ａ）は斜視図、図２（ｂ）は平面図である。
【図３】図３は、実施例３に係る倉内計測装備の詳細図であり、図３（ａ）は斜視図、図３（ｂ）は平面図である。
【図４】図４は、本願出願人の発明に係る従来の計測装備の側面全体図である。
【図５】図５は、本願出願人の発明に係る従来の計測装備の詳細図であり、図５（ａ）は斜視図、図５（ｂ）は平面図である。
【図６】図６は、従来の液体貨物運搬船の貨物倉の平面図である。
【符号の説明】
【００３２】
１１  底板
１３  上甲板
１５  横置隔壁
１７  中央隔壁
１９  船側隔壁
２１  ハッチ
３１  実施例１に係る倉内計測装備
３２  実施例２に係る倉内計測装備
３３  実施例３に係る倉内計測装備
４１  ガイド用鋼管
４３  補助柱
４７  フロート
５１  実施例１に係る支持金具
５２  実施例２に係る支持金具
５３  実施例３に係る支持金具
６１  ガイドステー
６３  スタンド
【図１】
2008151695.tif 000003
【図２】
2008151695.tif 000004
【図３】
2008151695.tif 000005
【図４】
2008151695.tif 000006
【図５】
2008151695.tif 000007
【図６】
2008151695.tif 000008